(57)【要約】【課題】  撮像素子にて連続的に取得した画像データを映像表示回路に動画として表示することで被写体を観察することを可能とした状態から、静止画撮影を実施しようとすると、メカニカルシャッターの先幕をチャージする必要が生じ、レリーズタイムラグが発生する。【解決手段】  映像表示回路に動画を表示することで被写体を観察することを可能とした状態から静止画撮影を行う場合には、撮像素子のリセット走査とメカニカルシャッターの後幕を用いて、撮像素子の露光時間を制御する。【選択図】  図４
2008289037.tif 000002
【特許請求の範囲】
【請求項１】
被写体像を受光して電荷を蓄積し画像データを出力する撮像素子と、
先幕および後幕を備えたメカニカルシャッターと、
前記撮像素子から出力された画像データを用いて画像を表示する映像表示回路と、
前記撮像素子のリセット走査を制御する撮像素子制御回路を有し、
前記映像表示回路が、前記被写体像を観察可能とするために前記撮像素子にて連続的に取得した画像データを順次表示している際に静止画撮影を指示された場合に、
前記撮像素子制御回路による前記撮像素子のリセット走査と、前記メカニカルシャッターの後幕によって、前記撮像素子の電荷の蓄積量を制御することを特徴とする撮像装置。
【請求項２】
前記映像表示回路が、前記被写体像を観察可能とするために前記撮像素子にて連続的に取得した画像データを順次表示している際に静止画撮影を指示された場合に、前記撮像素子制御回路による前記撮像素子のリセット走査と、前記メカニカルシャッターの先幕の走行のいずれかによって、前記撮像素子の電荷の蓄積量を制御するかを選択する選択手段を備えたことを特徴とする請求項１に記載の撮像装置。
【発明の詳細な説明】
【技術分野】
【０００１】
本発明は、表示装置にて被写体像を観察可能な一眼レフタイプのデジタルカメラにおける静止画撮影時の露光制御に関するものである。
【背景技術】
【０００２】
一眼レフタイプのデジタルカメラの断面図を図５に示す。この図５では、被写体像の光束が到達する部材を主に記載している。
【０００３】
２００はデジタルカメラ本体であり、２０１はデジタルカメラ本体２００に着脱可能な交換レンズである。２０２は交換レンズ２０１内部の撮影レンズ群が結像する被写体像の一部の光束を反射するミラーであり、撮影光路へ進入した状態と、撮影光路から退避した状態を切り替え可能な半透過性を有する。図５はミラー２０２が撮影光路に進入した状態を示しており、被写体像の一部の光束を後述するサブミラー２０３へ導くとともに、残りの光束をピント板２１５へ反射する。２０３はサブミラーであり、ミラー２０２を透過した光束を焦点検出回路２０４へと反射する。２０４は焦点検出回路であり、サブミラー２０３で反射された被写体像の光束から合焦状態を検出する。
【０００４】
２０５は静止画撮影時に撮像素子２１３の露光時間を制御するためのフォーカルプレーンシャッターである。２０６はフォーカルプレーンシャッター２０５の地板であり、２０７はフォーカルプレーンシャッター２０５のカバー板である。２０８はフォーカルプレーンシャッター２０５の後幕であり、図５の状態では、地板２０６の開口部であるアパーチャから退避した位置に存在する。２０９はフォーカルプレーンシャッター２０５の先幕であり、図５の状態では、アパーチャを遮る位置に存在する。
【０００５】
２１０は被写体像の光束を点像分離するローパスフィルターである。２１１は撮像素子２１３のカバーガラスであり、２１２は撮像素子２１３のパッケージである。２１３は光電変換機能を備えた撮像素子であり、被写体像の光束を電気信号からなる画像データに変換する。
【０００６】
２１４は液晶モニター装置や有機ＥＬ（エレクトロルミネッセンス）ディスプレイ装置等の映像表示回路であり、カメラの制御メニューや、撮像素子２１３にて得られた画像データを表示する。２１５はピント板、２１６はペンタプリズムであり、２１７はピント板２１５に結像された被写体像を観察するために設けられたファインダ光学系である。２１８はピント板を通過した光束を測光素子に導くための測光レンズであり、２１９は測光レンズ２１８を追加した光束から被写体像の光量を計測する測光センサーである。
【０００７】
このような一眼レフタイプのデジタルカメラにおいても、背面の映像表示回路２１４に被写体像をリアルタイムで表示し、この映像表示回路２１４を被写体観察用のファインダ光学系２１７の代わりとして使用できるものが提案されている（特許文献１を参照）。
【０００８】
具体的な構成としては、例えば、ファインダ光学系２１７に被写体像を導くために撮影光路上に配置されたミラー２０２を撮影光路から退避させ、撮像素子の前に配置されたフォーカルプレーンシャッター２０５の先幕２０９のみを走行させる。そして撮影レンズにて集光された被写体像を撮像素子にて連続的に画像データに変換して取得し、この連続的に取得した画像データを画像処理するとともに、背面の映像表示回路２１４に順次表示する。
【特許文献１】特開２００１−１２５１７３号公報
【発明の開示】
【発明が解決しようとする課題】
【０００９】
ここで、上述した一眼レフタイプのデジタルカメラの露光時間は、先幕２０９と後幕２０８の走行間隔によって決定される。よって、背面の映像表示回路２１４に画像を表示することで被写体の観察を可能とした状態で静止画撮影を行おうとすると、改めて先幕２０９をチャージする必要が生じる。つまり、映像表示回路２１４で被写体観察をしている際に撮影者がレリーズスイッチを操作して静止画撮影を指示すると、まずフォーカルプレーンシャッター２０５の後幕２０８を走行させる。それから、不図示のチャージレバーによって先幕２０９と後幕２０８をチャージする必要がある。このチャージが完了したら、シャッター秒時に相当する間隔を空けて先幕２０９と後幕２０８を順に走行させ、撮影を行う。
【００１０】
ここで、レリーズスイッチを操作されたあとに後幕２０８を走行させることなく、先幕２０９のみをチャージする構成をカメラに持たせることも考えられる。この場合は、従来用いられてきたフォーカルプレーンシャッター２０５が先幕２０９と後幕２０８を同時にチャージする機構であるために、先幕２０９のみをチャージすることが可能な機構を新たに製造する必要が生じる。また、先幕２０９のみをチャージする機構であっても、先幕２０９と後幕２０８の両方をチャージする機構であっても、先幕２０９をチャージするために要する時間はレリーズタイムラグとして生じてしまう。
【００１１】
また、レリーズタイムラグを短くするため、レリーズスイッチを操作する前に先幕２０９のチャージを行うことも考えられる。しかしながら、先幕２０９のチャージ動作を行うことによって撮像素子に被写体像が到達しなくなるため、映像表示回路２１４を利用した被写体の観察ができなくなり、ユーザーがレリーズのタイミングや被写体の構図を把握することができなくなってしまう。
【００１２】
このように、映像表示回路２１４に表示された画像によって被写体を観察する場合は、先幕２０９をチャージする必要が生じてしまう。そのため、ファインダ光学系を用いて被写体を観察した場合に比較して、レリーズタイムラグが長くなってしまうという課題が生じてしまっていた。
【課題を解決するための手段】
【００１３】
上記課題を解決するため、本願発明に係る撮像装置は、被写体像を受光して電荷を蓄積し画像データを出力する撮像素子と、先幕および後幕を備えたメカニカルシャッターと、前記撮像素子から出力された画像データを用いて画像を表示する映像表示回路と、前記撮像素子のリセット走査を制御する撮像素子制御回路を有し、前記映像表示回路が、前記被写体像を観察可能とするために前記撮像素子にて連続的に取得した画像データを順次表示している際に、静止画撮影を指示された場合に、前記撮像素子制御回路による前記撮像素子のリセット走査と、前記メカニカルシャッターの後幕によって、前記撮像素子の電荷の蓄積量を制御することを特徴とする。
【発明の効果】
【００１４】
本発明によれば、撮像素子にて連続的に取得した画像データを映像表示回路に動画として表示することで、被写体を観察することができる機能を設定した状態から、静止画撮影に移行する際の、レリーズタイムラグを抑止することができる。
【発明を実施するための最良の形態】
【００１５】
以下に、添付図面を参照して、本発明の好適な実施の形態を例示的に詳しく説明する。ただし、以下の実施形態に記載されている構成要素はあくまで例示であり、本発明の範囲をそれらのみに限定する趣旨のものではない。
【００１６】
（第１実施形態）
まず、本実施形態にかかる撮像装置の特徴を成す構成について、図１を用いて説明する。図１には図示されていない部材もあるが、図５に示す構成も全て有しているものとする。本実施形態の撮像装置は、カメラ本体１００と、カメラ本体１００に装着される光学ユニットとしての交換レンズ１０１とを有している。
【００１７】
撮像装置が非撮影状態（図１に示す状態）にある場合において、撮影レンズ１１４を通過した被写体光束のうちの一部の光束は、撮影光路内に位置するミラー１０２で反射してファインダ光学系１０３に導かれる。これにより、撮影者は、ファインダ光学系１０３を介して被写体像を観察することができる。
【００１８】
レリーズ釦が押されて撮像装置が非撮影状態から撮影状態に移行すると、ミラー１０２が撮影光路から退避する。これにより、撮影レンズ１１４からの被写体光束は、ＸＹアドレス型の光電変換素子であるＣＭＯＳセンサである撮像素子１０４側に向かう。ここで、撮像素子１０４に対して物体側（レンズ側）にはフォーカルプレンシャッター（以下、メカニカルシャッター）１０５が配置されている。メカニカルシャッター１０５は、複数の遮光羽根で構成されたメカ先幕とメカ後幕を有する。
【００１９】
カメラＣＰＵ１１３は、シャッター駆動回路１０６を介してメカニカルシャッター１０５の駆動を制御する。また、撮像素子１０４には、パルス発生回路１０７から走査クロック（水平駆動パルス）や所定の制御パルスが供給される。パルス発生回路１０７で発生した走査クロックのうち垂直走査用のクロックは、垂直駆動変調回路１０８によって所定のクロック周波数に変調されて、撮像素子１０４に入力される。この垂直駆動変調回路１０８によって電子先幕としてのリセット走査の走査パターンが決定される。つまり、垂直駆動変調回路１０８は撮像素子１０４のリセット走査を制御する撮像素子制御回路として機能する。また、パルス発生回路１０７は、信号処理回路１０９にもクロック信号を出力する。信号処理回路１０９は、撮像素子１０４から読み出された信号に対して所定の処理（色処理やガンマ補正等）を施すことにより画像データを生成する。生成された画像データは、映像表示回路１１０に出力されて撮影画像として表示されたり、画像記録回路１１１に記録されたりする。スイッチユニット１１２は、撮影条件等を設定するために操作されるスイッチや、撮影準備動作および撮影動作を開始させるために操作されるスイッチ（レリーズ釦）を含む。スイッチユニット１１２には、撮像素子にて連続的に取得した画像データを映像表示回路１１０に動画として順次表示することで、被写体を観察することができる機能（以下、ライブビューという）の設定の有無を切り替えるスイッチを含む。また、ライブビューに設定された状態から静止画を撮影する際に、メカ先幕を用いた撮影を行うか否かを選択するためのスイッチも含む。カメラＣＰＵ１１３は、スイッチユニット１１２の操作に応じた動作を行う。
【００２０】
次に交換レンズ１０１内の構成について説明する。撮影レンズ１１４は、光軸方向に移動可能である。ここで、図１では、１つのレンズとして示しているが、実際にはズームレンズ等、複数のレンズユニットで構成されている。レンズＣＰＵ１１５は、レンズ駆動回路１１６を介して、撮影レンズ１１４の駆動を制御する。また、レンズＣＰＵ１１５は、絞り駆動回路１１７を介して絞り駆動機構１１７ａを駆動し、撮影動作時の被写体輝度に応じた絞りの制御を行う。ズーム駆動機構１１８を操作（本実施形態では手動操作）することによりズーム位置が決定される。決定されたズーム位置はズーム位置検出回路１１９により検出され、レンズＣＰＵ１１５に送られる。レンズＣＰＵ１１５は、交換レンズ１０１側の通信接点１２０、および、カメラ本体１００側の通信接点１２１を介して、カメラ本体１００内のカメラＣＰＵ１１３と通信可能となっている。レンズＣＰＵ１１５は、交換レンズ１０１の種類や、焦点距離、射出瞳距離、ズーム位置等をカメラＣＰＵ１１３に通知する。走査パターン保持部１５０は、後述する電子先幕の走査パターン（リセットラインの動作パターン）を複数種類保持する。
【００２１】
本実施形態の撮像装置は、映像表示回路１１０にて被写体を観察可能な状態に設定された状態から静止画撮影を行う場合には、メカ先幕に代えて電子シャッター（電子先幕）を採用し、電子先幕とメカ後幕を用いて静止画撮影を行う構成となっている。
【００２２】
図２は、電子先幕とメカ後幕と用いて静止画撮影を行う際の、撮像素子およびメカ後幕を、レンズ側から光軸方向に沿って観察した様子を示す図である。図２はレリーズ釦の押下により撮影が開始された後の、電子先幕のリセット走査およびメカ後幕のシャッター走行が途中にあるときの状態を示している。矢印１は、電子先幕のリセット走査の走査方向（電子先幕の走行方向）と、メカ後幕の走行方向を示す。なお、撮影動作で電子先幕のリセット走査を行う場合、撮影レンズ１１４を介して撮像素子１０４の撮像面で結像した被写体像は上下が反転する。そのため、図２のように撮像面の下側から上側に向かってリセット走査が行われると、画像上部から画像下部へリセット走査及びシャッター走行が行われることになる。
【００２３】
図２において、２は、撮像素子１０４の撮像面を示している。３は、メカニカルシャッター１０５のメカ後幕である。図２では、メカ後幕３が撮像面２の一部の領域を遮光している状態が示されている。４は、撮像素子１０４におけるリセット走査を行っているライン（リセットライン）を示す。リセット走査はリセットライン４上の画素の蓄積電荷量をゼロにするものであり、リセットライン４は電子先幕の先端に相当する。
【００２４】
リセットライン４とメカ後幕３の先端部５との間のスリットによって形成される領域６は、撮像素子１０４において露光による電荷蓄積が行われている領域（電荷蓄積領域）である。電荷蓄積領域は電子先幕とメカ後幕の走行に従って、矢印１の方向へ移動していくことになる。撮像素子１０４内の画素において、リセットライン４が通過してから、すなわち、リセット動作が開始されてから、メカ後幕３によって遮光状態となるまでの時間は、当該画素の露光による電荷蓄積時間となる。リセットライン４が矢印１の方向へ走行して各ラインの電荷蓄積が開始されるので、電荷蓄積の開始タイミングは撮像素子１０４のライン毎で異なる。即ち、撮像面２のうち最も下に位置するラインで電荷蓄積動作が最も早く開始され、最も上に位置するラインで電荷蓄積動作が最も遅く開始される。
【００２５】
撮像面２の下部から上部へ向かうリセットライン４の移動は、垂直駆動変調回路１０８により制御される。このリセットライン４の移動は図３で後述するように制御され、このリセットライン４の移動パターンを走査パターンと称する。この走査パターンは、撮像素子の領域（ライン）別にリセット走査が行われるタイミングを示したものということができる。走査パターン保持部１５０にはこのような走査パターンが複数保持されている。カメラＣＰＵ１１３は、これらのうちの一つを選択し、選択した走査パターンに従ってリセットライン４が移動するように垂直駆動変調回路１０８を制御する。
【００２６】
図３は、シャッター制御における電子先幕のリセット走査の走査パターンとメカ後幕の走行パターンとの関係を示す図である。図３において、横軸は時間、縦軸は撮像素子上の下から上への距離（位置）をあらわしている。図３において、１２はメカ後幕の走行カーブを表し、走行開始から徐々に速度が上がる状態を表している。１１は電子先幕のリセット走査の走査カーブを表す。走査カーブ１１と走行カーブ１２の時間方向の距離が撮像素子の各ラインの露光時間を表す。図３では、撮像素子の下から上に渡ってほぼ同じ露光時間となっている。
【００２７】
次に、図４のフローチャートを用いて、上記の構成のカメラにおける静止画撮影時の動作について説明を行う。
【００２８】
カメラがスイッチユニット１１２の不図示の操作部材にて静止画を撮影するモードに設定されると、カメラＣＰＵ１１３がこのフローチャートを開始する。この図４に示すフローチャートは、主にカメラＣＰＵ１１３によって指示され、実行されるものである。
【００２９】
まずステップＳ０１にて、カメラＣＰＵ１１３は、スイッチユニット１１２にて映像表示回路１１０を用いてライブビューを行う設定がなされているかを判定する。
【００３０】
ステップＳ０１にてライブビューが設定されていれば、ステップＳ０２にて、ミラー１０２がアップして撮影光路から退避する。
【００３１】
ステップＳ０３にて、メカニカルシャッター１０５のメカ先幕が動作してメカニカルシャッターのアパーチャから退避し、撮像素子１０４が被写体像を受光可能な状態となる。
【００３２】
ステップＳ０４にて、映像表示回路１１０は、撮像素子１０４にて連続的に取得した画像データを動画として表示するライブビュー機能を開始する。
【００３３】
ステップＳ０５にて、ＡＥ（自動露出制御）とＡＦ（自動焦点制御）が行われる。信号処理回路１０９が、ライブビュー機能を実行するために撮像素子１０４にて取得した画像データを用いて、被写体の輝度値と合焦状態の評価値を検出し、レンズ駆動回路１１６と絞り駆動回路１１７がこれらの値が目標値に達するように駆動を行う。
【００３４】
ステップＳ０６にて、カメラＣＰＵ１１３は、スイッチユニット１１２のレリーズ釦が半押しされてスイッチＳＷ１がオンされているかを判定する。スイッチＳＷ１がオンされていなければ、ステップＳ０５に戻ってＡＦとＡＥを繰り返す。
【００３５】
ステップＳ０６でスイッチＳＷ１がオンされると、ステップＳ０７にて、その時点で得られた被写体の輝度値と合焦状態の評価値を基準として、静止画撮影時の目標値を決定する。そしてこの目標値を基に撮影レンズ１１４の停止位置、絞り駆動機構１１７ａの停止位置、撮像素子１０４の露光時間、および、信号処理回路におけるゲイン等を決定し、固定する。
【００３６】
ステップＳ０８にて、カメラＣＰＵ１１３は、スイッチユニット１１２のレリーズ釦が全押しされてスイッチＳＷ２がオンされるまで待機する。
【００３７】
スイッチＳＷ２がオンすると、ステップＳ０９にて、カメラＣＰＵ１１３はスイッチユニット１１２の状態を検知し、ユーザーによって、電子先幕を用いた静止画撮影と、メカ先幕を用いた静止画撮影のどちらの設定が選択されているかを判定する。そして、電子先幕を用いた静止画撮影が選択されていれば、ステップＳ１０へ進む。
【００３８】
ステップＳ１０では、カメラ本体の使用履歴やカメラの姿勢に応じて、いずれかの走査パターンが走査パターン保持部１５０から選択される。この走査パターンは撮像素子１０４のリセットラインの走査タイミングを示したものであり、カメラＣＰＵ１１３は、選択された走査パターンにしたがってリセット走査を実行するべく垂直駆動変調回路１０８を制御する。
【００３９】
そして、ステップＳ１１にて、ステップＳ０７で決定された露光時間から求められた所定時間だけ待機し、ステップＳ１２においてメカ後幕を動作させ、撮像素子１０４の露光を終了させる。
【００４０】
ステップＳ１３にて、遮光された撮像素子１０４から画像データを読み出し、ステップＳ１４にて、読み出した画像データを画像記録回路１１１に記録する。
【００４１】
そして、ステップＳ１５にて、ミラー１０２をダウンさせて撮影光路に進入させ、メカ先幕とメカ後幕を不図示のチャージレバーにてチャージしてステップＳ０１に戻る。
【００４２】
このように、ステップＳ１０で撮像素子１０４のリセット走査が行われることで、撮像素子１０４の各ラインの電荷の蓄積を開始するタイミングが規定される。そして、ステップＳ１２でメカ後幕が走行することによって、撮像素子１０４の各ラインが遮光される。走査パターン保持部１５０に記憶された走査パターンは、リセット走査されてからメカ後幕によって遮光されるまでの時間が、撮像素子１０４の全てのラインで等しくなるように設定されている。よって、この方法によれば、メカ先幕とメカ後幕と用いたときと同じように、電子先幕とメカ後幕を用いることによって、撮像素子１０４の電荷の蓄積量を制御することが可能となる。
【００４３】
そして、電子先幕を用いることによって、メカ先幕をチャージして、メカ先幕を走行させるという工程を省略することができる。そのため、ライブビューの状態からすぐさま静止画撮影に移行することが可能となり、従来例で課題としてあげていたレリーズタイムラグを大幅に低減させることができる。
【００４４】
次に、ステップＳ０９にて、スイッチユニット１１２によってメカ先幕を用いた静止画撮影が選択されていた場合の処理について説明する。
【００４５】
ステップＳ０８にてスイッチＳＷ２がオンされ、ステップＳ０９にてスイッチユニット１１２にてメカ先幕を用いた静止画撮影が選択されていると、ステップＳ２１に進む。
【００４６】
メカ先幕をチャージするため、ステップＳ２１にて、カメラＣＰＵ１１３は一旦メカ後幕を動作させる。そして、ステップＳ２２にて、不図示のチャージレバーによってメカ先幕とメカ後幕をチャージする。メカ先幕とメカ後幕をまとめてチャージする構成とすることで、従来の一眼レフタイプのカメラで利用されているチャージレバーを転用することができる。
【００４７】
ステップＳ２３にて、メカニカルシャッターのメカ先幕が動作してメカニカルシャッターのアパーチャから退避し、撮像素子１０４が露光可能な状態となる。
【００４８】
ステップＳ２４にて、決定された露光時間から求められた所定時間だけ待機し、ステップＳ２５においてメカ後幕を動作させ、撮像素子１０４の露光を終了させる。
【００４９】
ステップＳ２６にて、遮光された撮像素子１０４から画像データを読み出し、ステップＳ２７にて、読み出した画像データを画像記録回路１１１に記録する。
【００５０】
そして、ステップＳ２８にて、ミラー１０２をダウンさせて撮影光路に進入させ、メカ先幕とメカ後幕を不図示のチャージレバーにてチャージしてステップＳ０１に戻る。
【００５１】
このように、ライブビューが設定されていたとしても、メカ先幕を用いて静止画撮影を行う設定がユーザーによって選択されていれば、従来の一眼タイプのデジタルカメラと同様にメカ先幕とメカ後幕の走行間隔によって露光時間を規定する。
【００５２】
ここで、メカニカルシャッター１０５の走行特性は、経時変化の影響、カメラ本体の姿勢、あるいは、温度や湿度等の環境変化によって、少なからず初期の理想状態からのずれが生じてしまう。メカ先幕とメカ後幕を比較した場合には、両者に同様の影響が生じるため、これらの走行特性に大きな差が生じることは稀である。
【００５３】
しかしながら、電子先幕とメカ後幕を比較した場合には、電子先幕はカメラ本体の姿勢の変化や、温度や湿度等の環境変化の影響を受け難いため、メカ後幕のみが理想状態からずれていってしまう。そのために、電子先幕の走査特性とメカ後幕の走行特性には相対的なずれが生じ、撮像素子１０４の走査ラインによって露光時間が異なってしまうおそれが生じる。
【００５４】
本実施形態ではこのずれを補償するために、走査パターン保持部１５０に様々な走査パターンを記憶し、カメラの状態に応じて適した走査パターンを選択する構成となっている。しかしながら、ユーザーの指示に応じて、電子先幕の代わりにメカ先幕を選択できる構成としている。
【００５５】
これにより、経時変化や環境変化によって露出ムラが生じる可能性が高いと考えられる場合には、メカ先幕を使用することを選択することによって、露出ムラを未然に抑止することができるようになる。
【００５６】
次に、ステップＳ０１にてライブビューの機能が選択されなかった場合の処理について説明する。
【００５７】
ステップＳ０１にて、ライブビューが選択されていなければ、ステップＳ３１にて、スイッチユニット１１２のレリーズ釦が半押しされてスイッチＳＷ１がオンされるまで待機する。
【００５８】
ステップＳ３１にてスイッチＳＷ１がオンされると、ステップＳ３２にて、測光センサーと焦点検出回路にて得られる値を用いてＡＥとＡＦが行われる。
【００５９】
ステップＳ３３にて、主被写体と推定される領域を対象として被写体の輝度値と合焦状態の評価値を検出し、レンズ駆動回路１１６と絞り駆動回路１１７がこれらの値が目標値に達するように駆動を行う。
【００６０】
ステップＳ３４にて、カメラＣＰＵ１１３は、スイッチユニット１１２のレリーズ釦が全押しされてスイッチＳＷ２がオンされるまで待機し、スイッチＳＷ２がオンするとステップＳ３５にてミラーをアップし、ステップＳ２３に進む。
【００６１】
あとは上述したステップＳ２３からＳ２８の処理を行い、静止画撮影を行う。
【００６２】
このように、本実施形態によれば、ライブビューの状態からすぐさま静止画撮影に移行することが可能となり、レリーズタイムラグを大幅に低減させることができる撮像装置を提供することが可能となる。
【００６３】
さらに、経時変化や環境変化によって露出ムラが生じる可能性が高いと考えられる場合には、メカ先幕を使用することを選択することによって、露出ムラを未然に抑止することができるようになる。
【図面の簡単な説明】
【００６４】
【図１】本発明の実施形態にかかる撮像装置の構成を示すブロック図である。
【図２】電子先幕とメカ後幕の関係を示す正面図である。
【図３】電子先幕の走査曲線と、メカ後幕の走行曲線の関係を示す図である。
【図４】本発明の実施形態にかかる撮像装置の撮影動作を示すフローチャートである。
【図５】一眼レフタイプのデジタルカメラの構成を示す断面図である。
【符号の説明】
【００６５】
２  撮像面
３  メカ後幕
４  リセットライン
５  メカ後幕の先端部
１００  カメラ本体
１０１  交換レンズ
１０４  撮像素子
１０５  メカニカルシャッター
１０６  シャッター駆動回路
１０７  パルス発生回路
１０８  垂直駆動変調回路
１０９  信号処理回路
１１３  カメラＣＰＵ
１１４  撮影レンズ
１１５  レンズＣＰＵ
１１６  レンズ駆動回路
１１７  絞り駆動回路
１１８  ズーム駆動機構
１１９  ズーム位置検出回路
１５０  走査パターン保持部
【図１】
2008289037.tif 000003
【図２】
2008289037.tif 000004
【図３】
2008289037.tif 000005
【図４】
2008289037.tif 000006
【図５】
2008289037.tif 000007